(57)【要約】      （修正有）【課題】初心者または未経験者であっても簡単にセニングでき、安全に使用することができる安価なセニング用レザーを提供すること。【解決手段】把部１の自由端部前方部分にＶ字形またはＵ字形の平面形状を有する開口２ａが設けられる。刃部２はＶ字形またはＵ字形の平面形状を有し、刃部の刃はＶ字形またはＵ字形の内側縁２ｂに沿って形成される。刃部はＶ字形またはＵ字形の開口入口が把部の開口入口側に配置され、刃部の面は把部の面と実質的に平行に配置される。把部は所定の幅を有し、把部のＳ字形状の上方空間および下方空間は使用者の人差し指および中指を挿脱自在に挿入できるように形成される。把部の開口は刃部の刃の一部が露出するように形成される。把部の自由端部の前方部分裏側中間に櫛歯５が互いに斜めに対向するように取り付けられる。櫛歯は刃部の刃を越えて把部の開口内に突出して互いに対向するように延びている。【選択図】図４
2007215841.tif 000002
【特許請求の範囲】
【請求項１】
Ｓ字形状の把部と該把部の自由端部の前方部分に取り付けられる薄板状の刃部とを備え、
前記把部の自由端部前方部分にＶ字形またはＵ字形の平面形状を有する開口が設けられ、
前記刃部はＶ字形またはＵ字形の平面形状を有し、刃部の刃はＶ字形またはＵ字形の内側縁に沿って設けられ、刃部はＶ字形またはＵ字形の開口入口が把部の開口入口側に配置され、刃部の面は把部の面と実質的に平行に配置され、
前記把部は所定の幅を有し、把部のＳ字形状の上方空間および下方空間は使用者の人差し指および中指を挿脱自在に挿入できるように形成され、把部の開口は前記刃部の刃の一部が露出するように形成され、
前記把部の自由端部の前方部分裏側中間に少なくとも１対の櫛歯が互いに斜めに対向するように取り付けられ、該櫛歯の各々は前記刃部の刃を越えて前記把部の開口内に突出して延びるように構成された、
セニング用レザー。
【請求項２】
前記刃部は前記把部の自由端部に着脱自在に装着され、前記把部の自由端部の前方部分に開閉蓋の前方部分が回動自在に連結され、前記開閉蓋の後方部分が前記把部の自由端部の後方部分にロック手段によって係合離脱自在に固定され、前記刃部は開閉蓋と前記把部の受容凹部との間に配置される、請求項１に記載のセニング用レザー。
【請求項３】
前記刃部の前方部分開口幅Ｗ１と前記櫛歯自由端間隔Ｗ２との比（Ｗ１／Ｗ２）を１：０．４−０．６に設定した、請求項１または２に記載のセニング用レザー。
【請求項４】
前記把部の自由端部の前方部分先端にスカート部を設けた、請求項１、２または３に記載のセニング用レザー。
【請求項５】
前記把部に振動発生装置を内蔵した、請求項１〜４のいずれか一項に記載のセニング用レザー。
【発明の詳細な説明】
【技術分野】
【０００１】
本発明は、頭髪のラインセニングやインナーセニング等に使用するためのセニング用レザーに関するものである。
【背景技術】
【０００２】
ラインセニングやインナーセニング等のセニングは、頭髪の量感調整や毛密度調整を行うことによって、頭髪に毛束感を与えたり、毛先に動きのあるスタイルを作るときに必要なカット技術である。このようなセニングには和式剃刀や理美容シザースが用いられていた。
【０００３】
和式剃刀を用いてセニングする場合、毛髪に対する刃の角度や当て具合を調節することでカット量を調整するため、直線的なカットになり易く、毛束感や毛先への動きを与え難いものであった。一方、シザースを用いてセニングする場合、シザースの開き具合を調節することでカット量を調整できるため、細かな調整を行うことができるという利点を有している。しかしながら、カット量の調整が開き具合に左右されるため、開き具合とカット量の関係を経験的に会得していなければならなかった。
【０００４】
これに対し、支軸を介して相互に連結された２つの柄の一方に柄の側縁に沿って突出した刃を付着した理美容はさみ型レザー（例えば、特許文献１参照。）や、はさみの刃先部分に刃先が相互に角度をなして当接するようにレザーを設けたレザーばさみ（例えば、特許文献２参照。）が提案されている。
【０００５】
前者の理美容はさみ型レザーは、２つの柄の間に毛髪を挟み、毛髪に沿って動かすことにより毛髪を削ぐものである。カット量の調整は挟み込む量と毛髪に対する刃の角度を調節することによって行われるが、和式剃刀の場合と同様に、挟み込んだ毛髪に対して直線的なカットしか行えなかった。加えて、刃が手で保持する位置から離れた位置で剥き出しになっているため、不用意に使用すると挟み込んだ毛髪をすべてカットしてしまうおそれがあるだけでなく、使用者の手指に怪我をさせてしまう可能性も残されており、使いこなすためには和式剃刀の場合と同程度の経験を必要とする。後者のレザーばさみは、毛髪に対して刃を鋭角に当てることができる利点を有しているはいるが、理美容シザースの延長上のものでしかなく、依然として理美容シザースを用いる場合と同様な勘や経験を必要とする。
【０００６】
そこで、本出願人は、未経験者であっても簡単、安全にセニングでき、それにより、誰にでも簡単に頭髪に毛束感を与えたり毛先に動きのあるスタイルを作ることができるセニング用レザーを先に提案した（特許文献３参照）。このセニング用レザーは、Ｃ字形の形状を有する把部と該把部の自由端部の一方に取り付けられる薄板状の刃部とから構成される。刃部はＶ字形またはＵ字形の平面形状をしており、刃部の刃はＶ字形またはＵ字形の内側縁に沿って形成される。刃部はＶ字形またはＵ字形の開口側が把部の他方の自由端部に対向するように配置される。刃部の面は把部の面と実質的に平行に配置される。把部は所定の幅の周面を有し、把部の内部空間は人差し指を挿脱自在に挿入できるように形成される。把部の一方の自由端部は刃部の刃を露呈するように刃部に対応した形状の切欠部を有している。
【０００７】
しかし、このセニング用レザーは、長手方向に湾曲した薄板状刃部を形成する必要があり、その製造費が高くなると共に量産に適していないこと、刃部の谷間に毛髪の束が集中する傾向があり、セニングに多少の熟練を要することなどの問題がある。
【特許文献１】特開平９−３１３７５１号公報
【特許文献２】特開平７−２８９７５３号公報
【特許文献３】特願２００２−３７６３２９号
【発明の開示】
【発明が解決しようとする課題】
【０００８】
本発明は、未経験者であっても簡単にセニングできると共に、安全に使用することができ、それにより、誰にでも簡単に頭髪に毛束感を与えたり毛先に動きのあるスタイルを作ることができる安価なセニング用レザーを提供することを課題にしている。
【課題を解決するための手段】
【０００９】
本発明によるセニング用レザーは、Ｓ字形状の把部と、把部の自由端部の前方部分に取り付けられる薄板状の刃部とを備えている。把部の自由端部前方部分にＶ字形またはＵ字形の平面形状を有する開口が設けられる。刃部はＶ字形またはＵ字形の平面形状を有し、刃部の刃はＶ字形またはＵ字形の内側縁に沿って形成される。刃部はＶ字形またはＵ字形の開口入口が把部の開口入口側に配置され、刃部の面は把部の面と実質的に平行に配置される。把部は所定の幅を有し、把部のＳ字形状の上方空間および下方空間は使用者の人差し指および中指を挿脱自在に挿入できるように形成される。把部の開口は刃部の刃の一部が露出するように形成される。把部の自由端部の前方部分裏側中間に櫛歯が互いに斜めに対向するように取り付けられる。櫛歯は刃部の刃を越えて把部の開口内に突出して互いに対向するように延びている。
【００１０】
ここで、「前方」とは刃部のＶ字形またはＵ字形の開口の入口側を言う。「後方」とは刃部のＶ字形またはＵ字形の開口の谷底側（すなわち、開口の入口側とは反対側）を言う。以下、同様である。
【００１１】
本セニング用レザーは、基本的に、把部のＳ字形の上方空間および下方空間に挿入した使用者の人差し指および中指で把部を挟み持つことにより、刃部が親指の方向へ延びた状態で保持される。適当量の一束の毛髪が刃部のＶ字形またはＵ字形の開口を通って把部の自由端部へと延びるような位置関係でセニングすべき毛髪を刃部の開口内に入れる。このとき、一束の毛髪は櫛歯によって三束の毛髪グループに分けられる。すなわち、中央の毛髪グループは刃部の谷底位置まで達し、左右の毛髪グループは刃部の中間位置に留まる。使用者の親指で三束の毛髪グループを押えながら本セニング用レザーを毛先方向へ移動させることによりカットが行われる。このとき、刃部の刃が毛髪に対して鋭角に当てられることにより、刃に当接した毛髪はスムーズにカットされる。カット量の調節は、刃部の谷底に向かって親指で毛髪を押し付ける強さおよび／または押し付ける位置を変えることにより行われる。このカット作業は、使用者の指先、特に、親指の力加減だけによって直接にカット量の調節が行われるため、非常に簡単に所望のセニングを行うことができる。
【００１２】
刃部は把部の自由端部に着脱自在に装着される。把部の自由端部は前方部分に開閉蓋の前方部分が回動自在に連結される。開閉蓋の後方部分が把部の自由端部後方部分にロック手段によって係合離脱自在に固定される。刃部は開閉蓋と把部の受容凹部の間に配置される。このようにして、開閉蓋は刃部を保護すると共に、刃部の交換を容易にすることができる。開閉蓋が把部の自由端部の前方部分で回動するので、把部の自由端部先端には刃部が位置することができなくなり、それにより、不用意に手指を傷つけるおそれも回避できる。
【００１３】
刃部には少なくとも１つの貫通穴が設けられ、開閉蓋または受容凹部には刃部の貫通穴を通る突起が設けられる。ロック手段が把部と開閉蓋との相対位置関係を確実に固定できると共に、貫通穴と突起との係合により刃部が使用中にずれないようにすることができる。
【００１４】
刃部は、Ｖ字形またはＵ字形の単一部材からなる刃部であってもよいが、Ｖ字形の刃部の場合、２つの直線状部材をＶ字形に組み合わせることによって形成してもよい。刃部を２つの直線状部材で構成する場合、Ｖ字形またはＵ字形の刃部を製造するのに比較して廉価に刃部を製造できる。
【００１５】
前述したように、適当量の一束の毛髪を櫛歯によって三束の毛髪グループに分けるために、刃部の前方部分開口幅Ｗ１と櫛歯自由端間隔Ｗ２との比（Ｗ１／Ｗ２）を１：０．４−０．６に設定することが好ましい。
【００１６】
本発明の別の実施形態として、把部の自由端部前方部分先端にスカート部を設け、櫛歯を複数列設けることもできる。この構成により、適当量の一束の毛髪を掴み易くすると共に、毛髪束を３以上のグループに細分化し、カット作業をさらに容易にすることができる。
【００１７】
把部の自由端部をほぼ水平直線延長形状、下降傾斜直線延長形状、上昇傾斜直線延長形状、水平湾曲延長形状、下降傾斜湾曲延長形状、または上昇傾斜湾曲延長形状に形成することもできる。この形状は、使用目的、製造過程等に基づいて決定される。
【００１８】
本発明のまた別の実施形態として、把部に振動発生装置を内蔵することもできる。振動発生装置は、微細な振動を発生させることにより、毛髪と刃部の間に当接と離間の繰り返しを行わせる。
【発明の効果】
【００１９】
本発明によれば、セニングすべき一束の毛髪を複数の束グループに分割して刃部の開口内に入れ、親指で毛髪を押えながら毛先方向へ移動させることによりカットが行われるため、刃部の刃が毛髪に対して鋭角に当たることによって刃に当接した毛髪をスムーズにカットできる。毛髪を押し付ける親指の強さや位置を変えることによりカット量の調節を行うことができるため、初心者または未経験者であっても簡単にセニングでき、刃部が把部によって囲繞された状態で設けられているため、安全にカット作業を行うことができる。加えて、交換可能なカセット刃を装着することができ、きめ細かなカット作業を行うことができ、それにより、誰でも頭髪に毛束感を与えたり毛先に動きのあるスタイルを作ることができる。更に、微細な振動により毛髪と刃部の間に当接と離間の繰り返しを行わせるため、毛髪束が刃部に押し付けられて切れ難くなるのを回避できる。
【発明を実施するための最良の形態】
【００２０】
以下、本発明の実施の形態について、図面を参照して説明する。
【実施例１】
【００２１】
図１Ａおよび図１Ｂは本発明の第１実施例によるセニング用レザーの側面図であり、図２および図３はその平面図および正面図であり、図４および図５はその斜視図である。本発明の第１実施例によるセニング用レザーは、図１Ａ−５に示すように、Ｓ字形状の把部１と、把部１の自由端部１０の前方部分１ａに取り付けられる薄板状の刃部２とを備えている。
【００２２】
図５（または図７）により明瞭に示すように、把部１の自由端部１０の前方部分１ａにＶ字形またはＵ字形（図示例では、Ｖ字形）の平面形状を有する開口２ａが設けられる。同様に、刃部２はＶ字形またはＵ字形（図示例では、Ｖ字形）の平面形状を有する開口２ａを形成する。刃部２の開口２ａの入口は、把部１の開口２ａの入口側に配置される。刃部２の刃はＶ字形またはＵ字形の内側縁２ｂに沿って形成される。刃部２の面は把部１の面と実質的に平行に配置される。刃部２の開口２ａは、後述するセニング時に、所望の量の毛髪をその内部に入れることができると共に、使用者の手指、主として親指が不用意に入り込んで怪我をしないように採寸されている。
【００２３】
把部１の自由端部１０は所定幅の前方部分１ａおよび後方部分１ｂを有している。Ｓ字形把部１の上方空間１ｃおよび下方空間１ｄは使用者の人差し指Ｆ１および中指Ｆ２（図９参照）を挿脱自在に挿入できるように形成される。把部１の開口２ａは、刃部２の刃の一部を露出するように形成される。
【００２４】
図１Ａ、図１Ｂおよび図２に最もよく示すように、把部１の自由端部１０の前方部分１ａの裏側中間に櫛歯５が互いに斜めに対向するように取り付けられる。櫛歯５は刃部２の刃を越えて把部１の開口１ａ内に突出して延びている。
【００２５】
「前方」とは刃部２のＶ字形またはＵ字形の開口２ａの入口側を言う。「後方」とは刃部２のＶ字形またはＵ字形の開口２ａの谷底側（すなわち、開口２ａの入口側とは反対側）を言う。以下、同様である。
【００２６】
把部１の自由端部１０の前方部分１ａには刃部２を収容するための受容凹部１２（図１Ｂおよび図１２参照）が設けられる。開閉蓋１１の前方部分１１ａの先端は、図４および図５により明瞭に示すように、枢軸３によって把部１の自由端部１０の前方部分１ａの先端に回動自在に連結される。開閉蓋１１の後方部分１１ｂは、把部１の自由端部１０の後方部分１ｂにロック手段４によって係合離脱自在に固定される。刃部２は、開閉蓋１１と把部１の受容凹部１２との間に配置される。
【００２７】
図示されてはいないが、刃部２には少なくとも１つの貫通穴が設けられ、開閉蓋１１または受容凹部１２には刃部２の貫通穴を通る突起が設けられることが好ましい。ロック手段４が把部１と開閉蓋１１との相対位置関係を確実に固定できると共に、貫通穴と突起との係合により刃部２が使用中にずれないようにすることができる。
【００２８】
刃部２は、Ｖ字形またはＵ字形の単一部材からなる刃部であってもよいが、Ｖ字形の刃部の場合、２つの直線状部材をＶ字形に組み合わせることによって形成することもできる。このような場合、Ｖ字形またはＵ字形の刃部を比較的廉価に製造できる。
【００２９】
図６は、把部１の自由端部１０の各種変更例を示す。図６において、把部１の自由端部１０をほぼ上昇傾斜直線延長形状（Ａ）、水平直線延長形状（Ｂ）、下降傾斜直線延長形状（Ｃ）、上昇傾斜湾曲延長形状（Ｄ）、水平湾曲延長形状（Ｅ）、または下降傾斜湾曲延長形状（Ｆ）に形成することもできる。この形状は、使用目的、製造過程等に基づいて決定される。
【００３０】
図７および図８に示すように、適当量の一束の毛髪Ｈを櫛歯５によって三束の毛髪グループＨ１、Ｈ２、Ｈ３に分けるために、刃部の前方部分開口幅Ｗ１と櫛歯自由端間隔Ｗ２との比（Ｗ１／Ｗ２）を１：０．４−０．６に設定することが好ましい。
【００３１】
次に、本発明の第１実施例によるセニング用レザーの使用例について、図９−１１を参照して説明する。使用者はまず、図９に示すように、一方の手の人差し指Ｆ１をＳ字形把部１の上方空間１ｃ（図１Ａ参照）に挿入し、中指Ｆ２をＳ字形把部１の下方空間１ｄ（図１Ａ参照）に挿入し、把部１の自由端部１０の前方端部１ａが親指Ｆ３の方向へ向くような位置関係で本セニング用レザーを保持する。次いで使用者は、他方の手でセニングしようとする箇所において適当量の一束の毛髪Ｈを持ち、刃部２の開口２ａ内に毛髪を入れ、毛髪Ｈを親指Ｆ３で刃部２に押し付けながら毛先へと移動方向Ｍに沿って下降させることにより所望量の毛髪をカッティング・ラインＣ１、Ｃ２、Ｃ３に沿ってセニングを行う。このとき、適当量の一束の毛髪Ｈは、前述したように、櫛歯５によって三束の毛髪グループＨ１、Ｈ２、Ｈ３に分けられる。カットされる量は親指Ｆ３の押付力および／または押付位置によって直接左右され、強く押し付けるか、あるいは刃部２の谷底に近い位置で押し付けることにより多くの量の毛髪がカットされる（図１０および図１１参照）。
【００３２】
毛髪のカット量は、上述のように親指の押付力によって左右されるが、刃部２がＶ字形の場合、その開脚角度α（図２参照）によっても増減され、通常、同じ親指の押付力、押付位置であっても、開脚角度αが小さくなるに従って開口２ａ内に挿入された毛髪の量に対するカット量の比が大きくなる。このため、親指の押付力によってカット量を調節し易い開脚角度αとしては、５０−７０度を用いるのが望ましい。刃部２がＵ字形の場合、Ｖ字形の刃部と比較すると、カット量が多くなる傾向にあるため、直線状の両側部を短く形成し、谷底の湾曲を緩く形成するのが好ましい。
【実施例２】
【００３３】
図１２および図１３は、本発明の第２実施例によるセニング用レザーの側面図および平面図を示す。把部１の自由端部１０の前方部分１ａの先端にスカート部６を設け、櫛歯５を複数列（図示例では、両側に３列）設けることもできる。この構成により、適当量の一束の毛髪を掴み易くすると共に、毛髪束を３以上のグループに細分化し、カット作業をさらに容易にすることができる。
【００３４】
第２実施例においても、把部１の自由端部１０は、図６に示す変更例が適用されることができる。
【００３５】
第２実施例におけるセニング動作は、実施例１の動作と実質的に同様であるので、説明を省略する。
【実施例３】
【００３６】
図１４は、本発明の第３実施例によるセニング用レザーの側面図を示す。本実施例における特徴は、セニング用レザー全体を微細に振動させるための振動発生装置７を備えている点にある。本実施例におけるその他の構成は、前記各実施例と同様に構成される。
【００３７】
振動発生装置７は、把部１に形成された、開閉自在な蓋（図示なし）を有するチャンバ７ａ内に設けられる。振動発生装置７は、携帯電話機のバイブレーション装置と同様に、偏心回転錘を備えたマイクロモータ７ｂと、マイクロモータ７ｂを回転させるための電池７ｃと、マイクロモータ７ｂの回転をオンオフするためのスイッチ７ｄとから構成される。
【００３８】
振動発生装置７の配設位置は、刃部２を微細に振動させることができるのであればどこであってもよいが、使用時に毛髪を巻き込まず、かつ、手指で保持する際に邪魔にならない位置、より好ましくは、バランスよく手指で保持できる位置を選定すべきである。セニング動作は、セニングに際して振動発生装置７を作動させて微細な振動を発生させる点を除き、実施例１で説明した動作と実質的に同様にして行われる。
【産業上の利用可能性】
【００３９】
本発明のセニング用レザーは、人間の毛髪ばかりではなく、犬、猫等のペットの毛を調整するさいにも利用できる。
【図面の簡単な説明】
【００４０】
【図１Ａ】本発明の第１実施例によるセニング用レザーの側面図であって、開閉蓋が閉じた状態を示す。
【図１Ｂ】本発明の第１実施例によるセニング用レザーの側面図であって、開閉蓋が開いた状態を示す。
【図２】図１Ａ図のＩＩ−ＩＩ線から見たセニング用レザーの平面図である。
【図３】図１Ａ図のＩＩＩ−ＩＩＩ線から見たセニング用レザーの正面図である。
【図４】図１Ａ図に対応するセニング用レザーの斜視図である。
【図５】図１Ｂ図に対応するセニング用レザーを後方側から見た斜視図である。
【図６】セニング用レザーの把部の自由端部の側面図であって、（Ａ）−（Ｆ）図は各種変形例を示す。
【図７】本発明の第１実施例によるセニング用レザーの一部の平面図であって、毛髪の束を三分割する作用を示す。
【図８】図７のＶＩＩＩ−ＶＩＩＩ線から見た断面図である。
【図９】本発明の第１実施例によるセニング用レザーの使用例を示す斜視図である。
【図１０】本発明の第１実施例によるセニング用レザーを側面から見たときのセニング動作の説明図である。
【図１１】本発明の第１実施例によるセニング用レザーを正面から見たときのセニング動作の説明図である。
【図１２】本発明の第２実施例によるセニング用レザーの側面図である。
【図１３】本発明の第２実施例によるセニング用レザーの平面図である。
【図１４】本発明の第３実施例によるセニング用レザーの側面図である。
【符号の説明】
【００４１】
１    把部                            ２    刃部
３    枢軸                            ４    ロック手段
５    櫛歯                            ６    スカート部
７    振動発生装置                  １０    自由端部
１１    開閉蓋                        １２    受容凹部
Ｈ    毛髪              Ｈ１、Ｈ２、Ｈ３    毛髪グループ
Ｍ    移動方向          Ｃ１、Ｃ２、Ｃ３    カッティング・ライン
【図１Ａ】
2007215841.tif 000003
【図１Ｂ】
2007215841.tif 000004
【図２】
2007215841.tif 000005
【図３】
2007215841.tif 000006
【図４】
2007215841.tif 000007
【図５】
2007215841.tif 000008
【図６】
2007215841.tif 000009
【図７】
2007215841.tif 000010
【図８】
2007215841.tif 000011
【図９】
2007215841.tif 000012
【図１０】
2007215841.tif 000013
【図１１】
2007215841.tif 000014
【図１２】
2007215841.tif 000015
【図１３】
2007215841.tif 000016
【図１４】
2007215841.tif 000017